(57)【特許請求の範囲】
【請求項１】
複数の外部機器と接続されて、該複数の外部機器からの入力信号を切り替えて表示画面上に表示し得るようになった画像表示装置であって、
前記外部機器からの入力信号が表示画面上に表示された状態である１つの表示モードから他の表示モードとされた場合に、該外部機器に対して所定の制御コマンドを発行して、該外部機器を制御する制御手段を備え、
該制御手段は、第１の外部機器からの入力信号を表示する表示モードから、第２の外部機器からの入力信号を表示する表示モードへ切り替えられた場合に、第１の外部機器に対して、該第１の外部機器が該入力信号を該入力信号が該表示画面に表示れるよう出力する正常の立ち上がり状態からスタンバイモードに制御する第１のコマンドを発行する画像表示装置。
【請求項２】
複数の外部機器と接続されて、該複数の外部機器からの入力信号を切り替えて表示画面上に表示し得るようになった画像表示装置であって、
前記外部機器からの入力信号が表示画面上に表示された状態である１つの表示モードから他の表示モードとされた場合に、該外部機器に対して所定の制御コマンドを発行して、該外部機器を制御する制御手段を備え、
該制御手段は、第１の外部機器からの入力信号を表示する表示モードから第２の外部機器からの入力信号を表示する表示モードに切り替えられた場合に、第２の外部機器に対して、スタンバイモードからスタンバイモードを解除した、該第２の外部機器が該入力信号を該入力信号が該表示画面に表示されるよう出力する正常の立ち上がり状態に制御する第２のコマンドを発行する画像表示装置。
【請求項３】
前記他の表示モードが、電源オフモードの場合に、前記複数の外部機器の全ての電源をオフする第３のコマンドを発行する請求項１に記載の画像表示装置。
【請求項４】
前記外部機器が複数であり、いずれかの外部機器からの入力信号を前記表示画面上に表示する状態である前記１つの表示モードから前記他の表示モードである電源オフモードとされた場合に、全ての外部機器に対して電源をオフする第４のコマンドを発行する請求項１に記載の画像表示装置。
【請求項５】
前記電源オフモードは、予め設定された時間が経過することによって電源をオフするオフタイマーによって実行される請求項３または４に記載の画像表示装置。
【請求項６】
前記外部機器の少なくとも１つがコンピュータ本体である請求項１または２に記載の画像表示装置。
【発明の詳細な説明】
【０００１】
【発明の属する技術分野】
本発明は、外部機器と接続されて、外部機器からの入力信号を表示画面に表示するようになった画像表示装置に関し、特に、表示画面における表示モードが変化した場合に、特別な操作をすることなく、接続された外部機器を制御することができる画像表示装置に関する。
【０００２】
【従来の技術】
パーソナルコンピュータ（ＰＣ）などの情報機器には、情報機器によって制御される各種情報を表示するためのモニタ装置として、画像表示装置が設けられている。ＰＣに設けられた画像表示装置は、コンピュータ本体からの各種情報を表示するようになっているが、最近では、コンピュータ本体のみならず、ＴＶチューナー、ビデオレコーダー、ＤＶＤ等の外部機器と接続して、各外部機器から入力される画像信号も、表示画面に表示し得る構成の機種も開発されている。
【０００３】
ＰＣ、ＴＶチューナー等の複数の外部機器が接続されて、各外部機器から入力される画像信号を表示する画像表示装置では、選択された外部機器の画像を表示するために、外部機器からの入力信号を切り替えて表示モードを変更するようになっている。
【０００４】
【発明が解決しようとする課題】
ＰＣ、ＴＶチューナー等の外部機器には、それぞれの機能を制御するための制御手段あるいは入力手段が設けられており、制御手段あるいは入力手段によって、それぞれの外部機器が制御されるようになっている。また、外部機器が接続される画像表示装置にも、その機能を制御するための制御手段あるいは入力手段が設けられており、画像表示装置は、接続された外部機器とは独立して制御されるようになっている。
【０００５】
このために、画像表示装置に接続された外部機器から出力される画像信号を、画像表示装置の表示画面にて表示する場合には、画像表示装置の制御と、画像表示装置に接続された外部機器の制御とを、それぞれ個別に実施する必要がある。例えば、所定の外部機器から出力される画像信号を入力するためには、所定の外部機器を、画像信号を出力し得る状態に立ち上げる必要があり、また、画像表示装置においても、その外部機器から出力される画像信号を表示する表示モードとする必要がある。このように、外部機器から出力される画像信号を画像表示装置にて表示する場合には、画像表示装置の操作と所定の外部機器の操作とが必要になり、操作性が悪いという問題がある。
【０００６】
特公平７−４０７２１号公報には、ＴＶ受像機と、そのＴＶ受像機に接続された外部機器とを１つのリモートコントロールによって制御する構成が開示されている。この公報に開示された構成では、ＴＶ受像機のモニタに、外部機器の制御メニューを表示して、リリモートコントロールの操作によって選択されるメニューの制御内容を、外部機器において実施するようになっている。
【０００７】
このような構成では、ＴＶ受像機のモニタに外部機器の制御内容が表示されるものの、外部機器を制御するためには、リモートコントロールを操作する必要があり、やはり、操作性に問題がある。
【０００８】
本発明は、このような問題を解決するものであり、その目的は、接続された外部機器に対して、特別な操作を行うことなく、自動的に制御することができるために操作性に優れており、しかも、外部機器の節電効果を著しく向上させることができる画像表示装置を提供することにある。
【０００９】
【課題を解決するための手段】
本発明の画像表示装置は、複数の外部機器と接続されて、該複数の外部機器からの入力信号を切り替えて表示画面上に表示し得るようになった画像表示装置であって、前記外部機器からの入力信号が表示画面上に表示された状態である１つの表示モードから他の表示モードとされた場合に、該外部機器に対して所定の制御コマンドを発行して、該外部機器を制御する制御手段を備え、該制御手段は、第１の外部機器からの入力信号を表示する表示モードから、第２の外部機器からの入力信号を表示する表示モードへ切り替えられた場合に、第１の外部機器に対して、該第１の外部機器が該入力信号を該入力信号が該表示画面に表示れるよう出力する正常の立ち上がり状態からスタンバイモードに制御する第１のコマンドを発行することを特徴とする。
本発明の画像表示装置は、複数の外部機器と接続されて、該複数の外部機器からの入力信号を切り替えて表示画面上に表示し得るようになった画像表示装置であって、前記外部機器からの入力信号が表示画面上に表示された状態である１つの表示モードから他の表示モードとされた場合に、該外部機器に対して所定の制御コマンドを発行して、該外部機器を制御する制御手段を備え、該制御手段は、第１の外部機器からの入力信号を表示する表示モードから第２の外部機器からの入力信号を表示する表示モードに切り替えられた場合に、第２の外部機器に対して、スタンバイモードからスタンバイモードを解除した、該第２の外部機器が該入力信号を該入力信号が該表示画面に表示されるよう出力する正常の立ち上がり状態に制御する第２のコマンドを発行することを特徴とする。
【００１０】
前記他の表示モードが、電源オフモードの場合に、前記複数の外部機器の全ての電源をオフする第３のコマンドを発行する。
【００１１】
前記外部機器が複数であり、いずれかの外部機器からの入力信号を前記表示画面上に表示する状態である前記１つの表示モードから前記他の表示モードである電源オフモードとされた場合に、全ての外部機器に対して電源をオフする第４のコマンドを発行する。
【００１２】
前記電源オフモードは、予め設定された時間が経過することによって電源をオフするオフタイマーによって実行される。
【００１５】
前記外部機器の少なくとも１つがコンピュータ本体である。
【００１６】
【発明の実施の形態】
以下、本発明の実施形態を図面に基づいて説明する。
【００１７】
図１は、本発明の画像表示装置を使用した画像表示システムの一例を示す概略構成図である。この画像表示システム１０は、図１に示すように、情報機器としてのコンピュータ本体（ＰＣ）２０と、コンピュータ本体２０に接続されて、コンピュータ本体２０から出力される各種情報を表示するモニター装置である本発明の画像表示装置３０とを有している。コンピュータ本体２０と画像表示装置３０とは、データ通信用の信号ケーブル４０によって接続されている。
【００１８】
なお、画像表示装置３０には、ビデオデコーダ３２６およびＴＶチューナ３２５（いずれも図３参照）がそれぞれ内蔵されている。
【００１９】
また、画像表示装置３０には、外部機器として、ＴＶチューナ５１およびビデオレコーダ５２が、それぞれ信号ケーブル４０によって接続されている。
【００２０】
コンピュータ本体２０は、例えば、独立した電源装置（図示せず）によって駆動されるようになっており、予め種々のデータ処理、インターネット、電子メール、画像編集などのアプリケーションプログラムが記憶されている。
【００２１】
画像表示装置３０は、コンピュータ本体２０とは独立した電源装置（図示せず）によって駆動されるようになっており、スタンド３７と、該スタンド３７に支持された画像表示部３０ａとを有している。画像表示部３０ａは、図２に示すチルトヒンジ機構３６によって、スタンド３７に対して上下に回動自在に支持されている。従って、画像表示部３０ａは、チルトヒンジ機構３６によって、その視認角度を容易に変更し得るようになっている。
【００２２】
図２は、画像表示装置３０の断面図であり、画像表示部３０ａには、表示手段としての液晶表示パネル３１が設けられており、液晶表示パネル３１の下側に、入力装置３５を構成する操作パネル３３が設けられている。なお、入力装置３５としては、各種操作指令を入力可能とするリモコン（図示せず）、画像表示部３０ａに接続されたマウス３４等も設けられている。
【００２３】
入力装置３５は、内蔵されたＴＶチューナ３２５によってＴＶ受信局を選局する場合のＴＶチューナ３２５のチャンネルの指示、ＴＶチューナ３２５によって受信された映像信号の表示とコンピュータ本体２０からの映像信号の表示のいずれを選択するかを示す表示切替指示、さらには、コンピュータ本体２０による録画予約の録画設定情報の入力指示などの機能を有している。操作パネル３３には、内蔵されたＴＶチューナ３２５の選局ボタン、音量ボタン、外部機器であるＴＶチューナ５１およびビデオレコーダ５２の選択ボタン、表示環境設定ボタン、図示しないリモコン受信器などが設けられている。録画設定情報の入力指示は選局ボタンの数値ボタンを利用して行うことができる。
【００２４】
液晶表示部３０ａの液晶表示パネル３１は、バックライトユニット３１１（図３参照）、ＴＦＴ液晶表示ユニット（図示せず）等を有している。また、スタンド３７には、液晶表示部３０ａを制御するモニタ制御装置３２が設けられており、このモニタ制御装置３２には、録画制御用および録画再生制御用、さらにはＴＶ視聴制御用の制御ボードユニットが設けられている。
【００２５】
信号ケーブル４０は、Ｄ−ＳＵＢコネクタ間を接続するアナログＲＧＢの表示データ信号ケーブルと、オーデイオコネクタ間を接続するオーデイオ信号ケーブルと、ＵＳＢ（Universal Serial Bus；ユニバーサルシリアルバス）ポートとＵＳＢポート（ＵＳＢハブ）間を接続するＵＳＢケーブルとを有している。
【００２６】
図３は、図１の画像表示システムの要部ハード構成を示すブロック図である。図３において、コンピュータ本体２０のＵＳＢインターフェイス（Ｉ／Ｆ）２１と、画像表示装置３０に設けられたモニタ制御装置３２のＵＳＢインターフェイス（Ｉ／Ｆ）３２０とは、相互にデータ通信できるように構成されており、例えば録画用の圧縮データが、ＵＳＢインターフェイス（Ｉ／Ｆ）２１および３２０間に接続されたＵＳＢケーブルよって、モニタ制御装置３２からコンピュータ本体２０に送信される。また、コンピュータ本体２０の表示ＲＧＢインターフェイス（Ｉ／Ｆ）２２は、モニタ制御装置３２のＡ／Ｄ変換装置３２１に接続され、録画データを解凍して得た表示データがＡ／Ｄ変換装置３２１側に送信される。
【００２７】
さらに、モニタ制御装置３２のＵＳＢインターフェイス（Ｉ／Ｆ）３２０には、外部機器としてのＴＶチューナ５１とビデオレコーダ５２とが、それぞれ、信号ケーブル４０によって、モニタ制御装置３２と相互にデータ通信可能に接続されている。
【００２８】
コンピュータ本体２０は、詳細には図示していないが、ＣＰＵモジュールと、表示コントローラと、ＶＲＡＭと、通信用のモデム装置と、ＰＣＩ（Peripheral Component Interconnect）インターフェイスと、Ｉ／Ｏコントローラと、録画情報を記憶可能とする第２情報記憶手段（可読記録媒体）としてのＨＤＤ２３と、ＢＩＯＳ−ＲＯＭと、キーコントローラと、音声情報をオーデイオ出力端子より出力して画像表示装置３０にて音声再生するためのオーディオコントローラとを有している。
【００２９】
ＣＰＵモジュールは、このシステム全体の動作制御およびデータ処理を実行するコンピュータ制御手段である。
【００３０】
ＨＤＤ２３は、このシステムの主記憶部として使用されるものであり、後述する各プロセスにおける、ＨＤＤ２３やＵＳＢＩ／Ｆ２１，３２０経由のＭＰＥＧ２エンコーダ３２７などのデバイスヘのアクセスを管理するオペレーティングシステム（ＯＳ）２４、処理対象のアプリケーションプログラムおよび、このアプリケーションプログラムによって作成されたユーザデータなどが格納されるようになっている。
【００３１】
このアプリケーションプログラムとして、録画処理プログラムおよび録画再生処理プログラムが、主メモリ（ＨＤＤ２３）にインストールされる。また、この録画処理プログラムには、録画設定情報の設定および送信をする録画予約処理（録画設定処理）などを実行する録画管理プロセス２５が含まれている。録画管理プロセス２５は、録画予約した録画情報、例えば録画開始日および時刻、録画終了日および時刻、チャンネル情報、圧縮レートに対応した録画密度情報、管理情報などを記憶する録画情報テーブルを有している。また、録画管理プロセス２５には、録画予約に際して、インターネットによって配信される番組内容を含む番組情報の利用により設定可能になっており、この番組情報と管理情報との関連付けも記憶されている。
【００３２】
主メモリ（ＨＤＤ２３）内の録画再生処理プログラムとＣＰＵモジュールにより、圧縮データを元に戻す解凍手段が構成されている。なお、ハードウエアで構成される解凍手段としてのＭＰＥＧ２デコーダコントローラを周辺デバイスとして組み込む方法もあるが、ここでは必ずしもハードウエアのＭＰＥＧ２デコーダコントローラを必要としない。
【００３３】
表示コントローラは、ＶＲＡＭに描画されたデータをアナログＲＧＢの表示データとして出力して画像表示装置３０側に表示させるための表示制御処理を行う。
【００３４】
ＰＣＩインターフェイスには、ＨＤＤ２３、ＣＤ−ＲＯＭドライブ，ＦＤＤドライブなどの制御部と、ＵＳＢスロットに接続されるＵＳＢデバイスコントローラなどが含まれている。
【００３５】
Ｉ／Ｏコントローラは、各種Ｉ／Ｏデバイスを制御するためのものである。
【００３６】
また、コンピュータ本体２０には、画像表示装置３０からの制御情報を受け取る制御情報受け取り手段２０ａを有しており、さらに、制御情報受け取り手段２０ａによって受け取られた情報に基づいて所定の制御を実行する制御情報実行手段２０ｂが設けられている。この制御情報実行手段としては、コンピュータ本体２０をスタンバイモードとするスタンバイモード実行手段２０ｃ、コンピュータ本体２０の電源をオフする電源オフ実行手段２０ｄ、コンピュータ本体２０のスタンバイモードを解除するスタンバイモード解除実行手段２０ｅ等である。
【００３７】
なお、画像表示装置３０に接続された外部機器であるＴＶチューナ５１およびビデオレコーダ５２にも、画像表示装置３０からの制御情報を受け取る制御情報受け取り手段を有しており、また、制御情報受け取り手段によって受け取られた情報に基づいて所定の制御を実行する制御情報実行手段も設けられている。この制御情報実行手段としては、ＴＶチューナ５１およびビデオレコーダ５２をそれぞれスタンバイモードとするスタンバイモード実行手段と、電源をオフする電源オフ実行手段と、スタンバイモードを解除するスタンバイモード解除実行手段等である。
【００３８】
さらに、画像表示装置３０は、表示ＲＧＢインターフェイス（Ｉ／Ｆ）から表示データが入力されるＡ／Ｄ変換装置３２１と、グラフィックコントローラ３２２と、ＬＣＤドライバ３２３と、バックライトユニット３１１用のインバータ３２４と、ＴＶ受信手段としてのＴＶチューナ３２５と、ビデオデコーダ３２６と、画像圧縮手段としてのＭＰＥＧ２エンコーダ３２７と、ＵＳＢインターフェイス（Ｉ／Ｆ）３２０と、各部を制御する表示制御手段３２８と、表示制御手段３２８によって各部を制御する際に用いるデータを格納した第１情報記憶手段としてのメモリ３２９とを有している。
【００３９】
ＵＳＢＩ／Ｆ３２０は、情報機器としてのコンピュータ本体２０に対して、ＭＰＥＧ２エンコーダ３２７からの圧縮データを送出し、また、コンピュータ本体２０からキャプチャーサイズ、ビットレートなどの指定を行うことができる。
【００４０】
Ａ／Ｄ変換装置３２１は、ＰＣからの表示データであるアナログＲＧＢ信号をデジタルＲＧＢ信号に変換する。
【００４１】
グラフィックコントローラ３２２は、入力デジタル画像信号を、液晶表示パネル３１の表示画素数に合わせて表示できるように変換するものであり、色空間変換機能、ＩＰ（Interlace to Progressive）変換、スケーリング機能、ＦＲＣ（Frame  Rate  Conversion）機能、γ補正機能、色補正機能および同期検出機能を有し、デジタルＲＧＢ信号、デジタルＹＵＶビデオ信号から生成した表示データを１６ビットの表示データバス３２２ａに出力する。
【００４２】
ＬＣＤドライバ３２３は、グラフィックコントローラ３２２の出力表示データを入力し、液晶表示パネル３１の画像表示を制御する駆動回路である。
【００４３】
インバータ３２４は、バックライトユニット３１１に対して点灯制御を行う。
【００４４】
画像表示装置３０に内蔵されたＴＶチューナ３２５は、コンピュータ本体２０からのＴＶ受信局の選局情報、またはリモコンなどの入力装置３５からの選局情報に応答したチャンネル設定情報に基づいて、後述する表示制御手段３２８によって、ＩＩＣバス３２８ｅを介して受信局の選局制御が実行される。また、ＴＶチューナ３２５は、アンテナ端子に接続され、選局制御によってアンテナ端子からの所望のＴＶ信号が選局されて受信され、このＴＶ受信信号よりＮＴＳＣ画像信号を検波出力して信号ライン３２５ａを介してビデオデコーダ３２６に供給する。また、ＴＶチューナ３２５は、ＴＶ受信信号より音声周波数信号が分離出力され、その音声周波数信号を、後述する音声処理回路に供給する。
【００４５】
画像表示装置３０に内蔵されたビデオデコーダ３２６は、ＴＶチューナ３２５から供給されるＮＴＳＣ画像信号および、図示していないが、外部ビデオ機器を接続したビデオ入力端子からのビデオ信号の何れかを選択し、信号ライン３２６ａにＹＵＶデジタルビデオ信号を出力する。また、ビデオデコーダ３２６には、フィルタ回路、同期分離回路、ＹＣ分離回路、Ａ／Ｄコンバ―タ回路、色情報調整回路、ＡＧＣ回路、カラーデコーダ回路、水平垂直同期化回路および所望の画像サイズ決定のスケーリング回路などを有している。なお、ビデオデコーダ３２６は、ＭＰＥＧ２エンコーダ３２７とグラフィックコントローラ３２２との調停処理によって、信号ライン３２６ａ，３２６ｂに出力するＹＵＶデジタルビデオ信号を各々独立して出力制御でき、さらに各々独立して画像サイズのスケーリング処理が行えるようになっている。
【００４６】
ＭＰＥＧ２エンコーダ３２７は、入力されたＮＴＳＣ画像信号を既知のＭＰＥＧ２形式にてデータ圧縮を行うと共に、デジタル化された音声信号も同様にデータ圧縮を行うものである。
【００４７】
画像表示装置３０に設けられたモニタ制御装置３２は、ＣＰＵ（中央演算処理装置）によって構成されており、液晶表示パネル３１に表示される画像信号（映像信号）を入力する映像信号入力手段３２８ａと、液晶表示パネル３１の表示モードを検出する表示モード検出手段３２８ｂと、外部機器であるコンピュータ本体２０と、ＴＶチューナ５１と、ビデオレコーダ５２とに対してそれぞれ制御情報を出力する制御情報出力手段３２８ｃと、いずれの外部機器を制御対象とするかを選択する制御対象変更手段３２８ｄとを有している。
【００４８】
メモリ３２９には、表示制御手段３２８が動作するための制御プログラムおよび各種データが格納されている。制御プログラムは、内蔵されたＴＶチューナ３２５の選局などを行うチューナ管理プロセス、ＴＶ表示とコンピュータ本体２０の信号表示の切替えを行う画面表示切替えプロセス、メッセージを液晶パネル３１に表示するＯＳＤ表示プロセス、コンピュータ本体２０の動作状態を読み取る情報機器状態読み取りプロセス、録画管理情報をコンピュータ本体２０から受信し、編集、保持および送信処理を行う録画管理情報処理プロセスなどを有している。録画管理情報処理プロセスには、コンピュータ本体２０から受信し、入力装置３５で設定または修正した録画設定情報および録画状態情報などの録画情報を記憶する録画情報エリアが設けられている。
【００４９】
なお、音声再生処理については、音声処理回路が、音声入力端子からの音声信号をＤ／Ａ変換した後のアナログ音声信号を音声コントローラに出力し、音声コントローラは、音質・音量調整、サラウンド制御等を行った後のアナログ音声信号を増幅回路に出力し、その増幅したアナログ音声信号をスピーカに出力するようになっている。また、音声処理回路は、内蔵されたＴＶチューナ３２５に接続されており、上記構成に加えて、ＴＶチューナ３２５から供給された音声周波数信号をＡ／Ｄ変換してさらに復調し、そのデジタル化された音声信号はＭＰＥＧ２エンコーダ３２７に供給され、Ａ／Ｄ変換された音声信号はＤ／Ａ変換されて音声コントローラに供給されるようになっている。なお、音声処理回路は、ＭＰＥＧ２エンコーダ３２７とグラフィックコントローラ３２２との調停処理によって、音声入力端子からの音声信号と、ＴＶチューナ３２５からの音声信号とのそれぞれに対してＭＰＥＧ２エンコーダ３２７への出力と音声コントローラへの出力とを選択的なスイッチングを行って両信号の同時処理を可能に構成している。
【００５０】
このような構成の画像表示システムにおける主要な動作を、図４および図５に示すフローチャートに基づいて説明する。なお、図４は、画像表示装置３０の動作を示しており、図５は、コンピュータ本体２０の動作を示している。
【００５１】
画像表示装置３０は、外部機器であるコンピュータ本体２０とは、信号ケーブル４０のＵＳＢケーブルによって通信可能な状態とされており、また、コンピュータ本体２０は、ＵＳＢケーブルを介して画像表示装置３０と通信できるように、専用のアプリケーションを起動した状態とされている。
【００５２】
また、画像表示装置３０に接続されたテレビチューナ５１およびビデオレコーダ５２も、それぞれ信号ケーブル４０におけるＵＳＢケーブルのＵＳＢ規約により、画像表示装置３０との接続が確立されて通信可能な状態とされている。
【００５３】
このような状態で、画像表示装置３０の表示制御手段３２８は、まず、ＵＳＢケーブルを介して、外部機器としてのコンピュータ本体２０が接続されていることを、ＵＳＢの通信規約に基づいてチェックする（図４のステップＳ１参照、以下同様）。そして、画像表示装置３０とコンピュータ本体２０との通信が確立された時点で、ＵＳＢ接続情報を、内部記憶装置であるメモリ３２９に記憶する（ステップＳ２）。メモリ３２９は、図６に示すようなテーブルを有しており、ＵＳＢの通信が確率した時点において、接続されたコンピュータ本体２０と、ＵＳＢケーブルのＩＤ番号とがテーブルに記憶される。
【００５４】
コンピュータ本体２０においても、図５に示すように、画像表示装置３０と、ＵＳＢケーブルを介して接続されて通信可能になっているかを、ＵＳＢ通信規約によって確認する（図５のステップＳ３１参照、以下同様）。そして、画像表示装置３０が通信可能であることが確認されると、画像表示装置３０の接続ＩＤ番号を記憶する（ステップＳ３２）。そして、コンピュータ本体２０は、画像表示装置３０からのコマンドの受信待ち状態とされる。
【００５５】
また、画像表示装置３０は、同様にして、テレビチューナ５１およびビデオレコーダ５２と通信可能に接続されていることを確認して、メモリ３２９のテーブルに、テレビチューナ５１およびビデオレコーダ５２とそれぞれ接続されたＵＳＢケーブルのＩＤ番号を記憶する。テレビチューナ５１およびビデオレコーダ５２においても、画像表示装置３０と通信可能に接続されていることが確認されて、画像表示装置３０の接続ＩＤ番号を記憶し、画像表示装置３０からのコマンドの受信待ち状態とされる。
【００５６】
このように、画像表示装置３０は、外部接続機器として、コンピュータ本体２０と、テレビチューナ５１と、ビデオレコーダ５２と、それぞれ接続された状態で起動される。この起動時において、例えば、画像表示装置３０の映像信号入力手段３２８ａに、コンピュータ本体２０から出力される映像信号が入力されている場合には、図７（ａ）に示すように、画像表示装置３０に設けられた液晶表示パネル３１の表示画面には、その映像が表示される。そして、画像表示装置３０は、コンピュータ本体２０からの映像が表示された表示モードでは、表示モードが、コンピュータ本体２０以外の外部機器に切り替えられるまで、入力待ち状態とされる（ステップＳ３）。
【００５７】
このような状態で、画像表示装置３０に設けられている操作パネル３３のキー操作等によって、表示モードが切り替えられて（ステップＳ４）、例えば、画像表示装置３０に対する入力信号が、コンピュータ本体２０からビデオレコーダ５２に切り替えられると、表示制御手段３２８は、まず、表示モード検出手段３２８ｂによって、画像表示装置３０の液晶表示パネル３１に表示されている映像が、コンピュータ本体２０から入力されている映像であることを確認する（ステップＳ５）。そして、液晶表示パネル３１に表示されている映像が、コンピュータ本体２０から入力されている映像信号であることが確認されると、コンピュータ本体２０をスタンバイモードとするためのスタンバイコマンドを、画像表示装置３０のメモリ３２９にセットする（ステップＳ６）。
【００５８】
コンピュータ本体２０のスタンバイモードとは、節電機能としての低消費電力モードであり、ＣＰＵクロックを減速あるいは停止し、全てのアプリケーションプログラムの状態をセーブし、ハードディスク（ＨＤ）等の周辺機器の電源をオフするモードである。このスタンバイモードにより、コンピュータシステムにおけるＣＰＵの高速化、周辺機器の増加、大型ディスプレイ化等に起因する消費電力の増大が抑制され、消費電力の増大による環境の破壊等が防止される。
【００５９】
このようなスタンバイモードは、入力キーの操作による割り込み、モデムからの割り込み等によって解除されて、システム全体、あるいは、中断されているアプリケーションが活性化される。
【００６０】
図９は、コンピュータ本体２０の内部構造の概略構成図である。コンピュータ本体２０は、前述したように、節電機能としてスタンバイモードが設けられており、ＣＰＵおよびハードウエアを制御するＢＩＯＳに、電力管理機能がサポートされている。また、ＢＩＯＳにて、ＯＳ（例えば、Windows98等）がサポートされており、さらに、ＯＳにて、ワードプロセッサー、表計算等の通常のアプリケーションがサポートされている。
【００６１】
さらに、コンピュータ本体２０には、画像表示装置３０との通信を行うためのＵＳＢドライバ、および、ＢＩＯＳまたはＣＰＵに対する電源管理を行う電源管理ドライバがＯＳにサポートされており、さらには、ＵＳＢを通して、画像表示装置３０からのイベントを受け取り、あるいは、画像表示装置３０にイベントを送信し、画像表示装置３０との接続状況に基づいて電力管理（節電）を電力管理ドライバにて実施するモニタ接続監視および電源管理アプリケーションがサポートされている。このモニタ接続監視および電源管理アプリケーションは、常時、立ち上げられた状態になっている。
【００６２】
モニタ接続監視および電源管理アプリケーションは、ＵＳＢドライバによって、画像表示装置３０からイベントが送信されたかを常時監視する。イベントの送信については、ＯＳ（例えば、Windows98等）のイベント送信・受信関数の規約に従う。そして、画像表示装置３０から受け取った情報を解析し、スタンバイモード（節電モード）に移行する場合には、ＯＳ内にある電源管理ドライバは、ＢＩＯＳに対して節電モードとするための必要な処理を行う。反対に、節電モードから復帰する場合には、画像表示装置３０からのスタンバイ解除モードを受け取った後に、入力キー操作による割り込みと同様の状態になるように、ＯＳ／ＢＩＯＳに対して、擬似的に入力キー操作による割り込みコマンドが発行されて、スタンバイモードが解除される。
【００６３】
ステップＳ６において、メモリ３２９にスタンバイコマンドがセットされた状態になると、コンピュータ本体２０がコマンドを受信してもよい状態になっているか、すなわち、コンピュータ本体２０がスタンバイモードではなく、立ち上がった状態になっているかを確認するための情報送信コマンドを送信する（ステップＳ７）。
【００６４】
この場合、図５に示すように、画像表示装置３０からのコマンドの受信待ち状態のコンピュータ本体２０においては、画像表示装置３０からの情報送信コマンドを、制御情報受け取り手段２０ａによって受信すると（ステップＳ３３）、コンピュータ本体２０が、現在、スタンバイ状態、あるいは、正常に立ち上がった状態のいずれであるかをチェックして、現在のコンピュータ本体２０の状態に関する情報を、画像表示装置３０に送信する（ステップＳ３４）。
【００６５】
画像表示装置３０では、図４に示すように、コンピュータ本体２０から、立ち上がった状態になっていることの情報が送信されると、制御情報出力手段３２８ｃによって、スタンバイコマンドを、ＵＳＢケーブルを介して、コンピュータ本体２０に送信する（ステップＳ８）。
【００６６】
コンピュータ本体２０では、図５に示すように、制御情報受け取り手段２０ａによって、画像表示装置３０からスタンバイコマンドが受信されると（ステップＳ３５）、スタンバイコマンドが受信されたことを通知する成功コマンドを画像表示装置２０に送信した後に（ステップＳ３６）、コンピュータ本体２０の制御情報実行手段２０ｂに設けられたスタンバイ実行手段２０ｃによって、コンピュータ本体２０をスタンバイモードとする（ステップＳ３７）。
【００６７】
画像表示装置３０では、スタンバイコマンドがコンピュータ本体２０に送信されたことを、コンピュータ本体２０からの成功コマンドの送信によって確認すると（ステップＳ９）、コンピュータ本体２０がスタンバイモードになったものとして、図７（ｂ）に示すように、液晶表示パネル３１の表示が、外部機器であるビデオデコーダ５２から入力される映像となるように、入力モードが切り替えられる（ステップＳ１０）。
【００６８】
このように、画像表示装置３０の入力モードが、コンピュータ本体２０からの出力信号から、ビデオコーダ５２の出力信号に切り替えられると、画像表示装置３０は、コンピュータ本体２０をスタンバイ状態に制御するとともに、入力モードをビデオコーダ５２の出力信号に切り替える。従って、画像表示装置３０の入力モードを切り替えるのみで、コンピュータ本体２０をスタンバイモードに制御することができ、操作性が著しく向上する。
【００６９】
なお、ステップ５において、画像表示装置３０における現状の表示モードが、コンピュータ本体２０からの映像信号ではなくて、例えば図１０（ａ）に示すように、外部機器であるビデオレコーダ５２からの画像信号を画像表示装置３０に表示する表示モードである場合に、コンピュータ本体２０からの画像信号を画像表示装置３０に表示する表示モードに切り替えるときには（ステップＳ１１）、コンピュータ本体２０をスタンバイ解除モードとするためのスタンバイ解除コマンドを、画像表示装置３０のメモリ３２９にセットする（ステップＳ１２）。
【００７０】
そして、コンピュータ本体２０がコマンドを受信してもよい状態になっているか、すなわち、コンピュータ本体２０がスタンバイモードではなく、正常に立ち上がった状態になっているかを確認するための情報送信コマンドを送信し（ステップＳ７）、図５に示すように、コンピュータ本体２０から、正常に立ち上がった状態であることが、画像表示装置３０に送信されると（ステップＳ３４）、図４に示すように、スタンバイ解除コマンドがコンピュータ本体２０に送信されることになる（ステップＳ７）。
【００７１】
この場合、コンピュータ本体２０では、図５に示すように、制御情報受け取り手段２０ａによって、画像表示装置３０からスタンバイ解除コマンドが受信されると（ステップＳ４１）、スタンバイ解除コマンドが受信されたことを通知する成功コマンドを画像表示装置３０に送信した後に（ステップＳ４２）、コンピュータ本体２０の制御情報実行手段２０ｂに設けられたスタンバイ解除実行手段２０ｅによって、コンピュータ本体２０のスタンバイ解除を実行し（ステップＳ４３）、コンピュータ本体２０を正常に立ち上がった状態とする。
【００７２】
このような状態になると、図１０（ｂ）に示すように、コンピュータ本体２０からの映像信号が、画像表示装置３０の表示される表示モードとされる。
【００７３】
また、現状の表示モードが、コンピュータ本体２０からの映像信号でなく、コンピュータ本体２０からの映像信号を表示する表示モードに切り替えられるものでもない場合には、特別な処理をすることなく、表示モードが切り替えられて、所定の外部機器からの映像信号が画像表示装置３０に入力するように切り替えられる（ステップＳ１０）。
【００７４】
さらに、図４のステップＳ３において、画像表示装置３０の表示モードが、コンピュータ本体２０からの入力信号である場合に、画像表示装置３０の電源オフモードとされた場合（ステップＳ１３）、すなわち、画像表示装置３０の入力装置３５の操作によって電源オフが指示された場合、あるいは、画像表示装置３０に設けられたオフタイマーによって、予め設定された所定時間が経過したことによって電源オフが指示された場合には、表示モード検出手段３２８ｂによって、画像表示装置３０において、現在の表示モードが、コンピュータ本体（ＰＣ）からの映像信号を表示していることを確認する（ステップＳ１４）。そして、メモリ３２９内のＵＳＢ接続テーブルから、入力状態になっているコンピュータ本体２０のＩＤ番号を確認する（ステップＳ１５）。
【００７５】
このような状態になると、コンピュータ本体２０の電源をオフするための電源オフコマンドをメモリ３２９にセットする（ステップＳ１６）。メモリ３２９には、図８に示すようなコマンドテーブルが設けられており、電源オフコマンドにコンピュータ本体２０のＩＤ番号がセットされる。その後、制御情報出力手段３２８ｃによって、セットされた電源オフコマンドを、コンピュータ本体２０に送信する（ステップＳ１７）。
【００７６】
コンピュータ本体２０では、図５に示すように、制御情報受け取り手段２０ａによって、画像表示装置３０から電源オフコマンドが受信されると（ステップＳ３８）、スタンバイコマンドが受信されたことを通知する成功コマンドを画像表示装置２０に送信した後に（ステップＳ３９）、コンピュータ本体２０の制御情報実行手段２０ｂに設けられた電源オフ実行手段２０ｄによって、コンピュータ本体２０の電源のオフを実行する（ステップＳ４０）。
【００７７】
画像表示装置３０では、コンピュータ本体２０の制御情報受け取り手段２０ａによって電源オフコマンドが受信されたことが、コンピュータ本体２０からの成功コマンドの送信によって確認されると（ステップＳ１８）、画像表示装置３０に接続されている他の外部機器であるテレビチューナ５１およびビデオレコーダ５２の全ての電源がオフされているかを確認する（ステップＳ１９）。
【００７８】
そして、テレビチューナ５１およびビデオレコーダ５２のいずれかの電源、あるいは両方の電源がオフされていない場合には、電源がオフされていない外部機器であるテレビチューナ５１およびビデオレコーダ５２の電源を、コンピュータ本体２０の電源をオフする手順と同様の手順によって、オフする。
【００７９】
このようにして、コンピュータ本体２０の電源がオフされるとともに、全ての外部機器の電源がオフされた状態になると、画像表示装置３０の電源がオフされる（ステップＳ２０）。
【００８０】
このように、画像表示装置３０の電源をオフする場合には、画像表示装置３０の電源オフの指示によって、画像表示装置３０に接続されている全ての外部機器の電源がオフされるために、各外部機器の電源をオフする操作が不要になり、操作性が著しく向上する。しかも、外部機器は、特別な操作をすることなく電源オフされるために、各外部機器を使用しない状態では、確実に電源オフとされるために、節電効果が著しく向上する。
【００８１】
【発明の効果】
本発明の画像表示装置は、このように、接続された外部機器を、表示画面における表示モードが変化することによって自動的に制御することができるために、外部機器に対する特別な操作が不要になり、操作性が著しく向上する。特に、複数の外部機器が接続されている場合において、画像表示装置における入力モードと関係しない外部機器を、電源オフ、あるいはスタンバイモードとすることができるために、外部機器の節電効果が著しく向上する。
【図面の簡単な説明】
【図１】本発明の画像表示装置を使用した画像表示システムの一例を示す斜視図である。
【図２】図１の画像表示システムに使用される画像表示装置の断面図である。
【図３】その画像表示装置の要部の構成を示すブロック図である。
【図４】図１の画像表示システムに使用される画像表示装置の動作説明のためのフローチャートである。
【図５】図１の画像表示システムに使用されるコンピュータ本体の動作説明のためのフローチャートである。
【図６】画像表示装置に設けられるＵＳＢ接続テーブルの一例を示す表である。
【図７】（ａ）〜（ｃ）は、それぞれ、画像表示システムにおける動作の一例を説明するための模式図である。
【図８】コンピュータ本体に設けられるコマンドテーブルの一例を示す表である。
【図９】コンピュータ本体の内部構造を示す概略構成図である。
【図１０】（ａ）および（ｂ）は、それぞれ、画像表示システムにおける動作の他の例を説明のための模式図である。
【符号の説明】
１０    画像表示システム
２０    コンピュータ本体（ＰＣ）
２１    ＵＳＢインターフェイス（Ｉ／Ｆ）
２２    表示ＲＧＢインターフェイス（Ｉ／Ｆ）
２３    ＨＤＤ
３０    画像表示装置
３１    液晶表示パネル
３２    モニタ制御装置
３３    操作パネル
３５    入力装置
３２０    ＵＳＢインターフェイス（Ｉ／Ｆ）
３２１    Ａ／Ｄ変換装置
３２２    グラフィックコントローラ
３２３    ＬＣＤドライバ
３２５    ＴＶチューナ
３２６    ビデオデコーダ
３２７    ＭＰＥＧ２エンコーダ
３２８    制御手段
３２９    メモリ
【図１】
0004854055.tif 000002
【図２】
0004854055.tif 000003
【図３】
0004854055.tif 000004
【図４】
0004854055.tif 000005
【図５】
0004854055.tif 000006
【図６】
0004854055.tif 000007
【図７】
0004854055.tif 000008
【図８】
0004854055.tif 000009
【図９】
0004854055.tif 000010
【図１０】
0004854055.tif 000011